(57)【要約】本発明はエアコンカレントループ通信電気回路とエアコンを提案する。スイッチング電源モジュールを設置して且つそれを通信接続線Ｓ或いは交流電源接続線に直列接続することで、直流電をカレントループ通信回路に出力する。本発明では、スイッチング電源が出力する直流電で従来の抵抗分圧型の直流給電電気回路を取って代わり、且つ、従来のカレントループ通信電気回路のエアコン室内と室外の間の接続線にも適合する。これにより従来の抵抗分圧電気回路において分圧抵抗の消費電力が大きく深刻な発熱を起こす問題を解決すると共に、従来の分圧抵抗の体積が大きくＰＣＢ基板の配線に不利である問題を解決する。【選択図】図２
2020527327.tif 000002
【特許請求の範囲】
【請求項１】
室内機カレントループ通信モジュール、室外機カレントループ通信モジュール、室内ＭＣＵ、室外ＭＣＵ、スイッチング電源モジュールを含み、
前記室内機カレントループ通信モジュールは通信接続線Ｓと交流電源接続線を経由して前記室外機カレントループ通信モジュールに接続されて、カレントループ通信回路を構成し、
前記室内ＭＣＵと前記室外ＭＣＵは前記カレントループ通信回路で通信を実現し、
前記スイッチング電源モジュールは前記通信接続線Ｓ或いは交流電源接続線に直列接続されて、直流電源を前記カレントループ通信回路に出力する
ことを特徴とするエアコンカレントループ通信電気回路。
【請求項２】
前記交流電源接続線は交流電源線Ｎであり、
前記スイッチング電源モジュールはエアコンの室内機に位置して、前記スイッチング電源モジュールの出力端子の正極は前記交流電源線Ｎに接続されて、前記スイッチング電源モジュールの出力端子の負極は前記室内機カレントループ通信モジュールに接続されており、或いは、
前記スイッチング電源モジュールはエアコンの室外機に位置して、前記スイッチング電源モジュールの出力端子の正極は前記交流電源線Ｎに接続されて、前記スイッチング電源モジュールの出力端子の負極は前記室外機カレントループ通信モジュールに接続されている
ことを特徴とする請求項１に記載のエアコンカレントループ通信電気回路。
【請求項３】
前記交流電源接続線は交流電源線Ｌであり、
前記スイッチング電源モジュールはエアコンの室内機に位置して、前記スイッチング電源モジュールの出力端子の正極は前記交流電源線Ｌに接続されて、前記スイッチング電源モジュールの出力端子の負極は前記室内機カレントループ通信モジュールに接続されており、或いは、
前記スイッチング電源モジュールはエアコンの室外機に位置して、前記スイッチング電源モジュールの出力端子の正極は前記交流電源線Ｌに接続されて、前記スイッチング電源モジュールの出力端子の負極は前記室外機カレントループ通信モジュールに接続されている
ことを特徴とする請求項１に記載のエアコンカレントループ通信電気回路。
【請求項４】
前記スイッチング電源モジュールはスイッチング変圧器を含み、前記スイッチング変圧器は第一出力巻線を含み、
前記第一出力巻線は前記カレントループ通信回路に第一直流電を出力して直流電源を提供する
ことを特徴とする請求項１から３の何れか一項に記載のエアコンカレントループ通信電気回路。
【請求項５】
さらに単方向保護モジュールを含み、
前記単方向保護モジュールは前記カレントループ通信回路の中に直列接続されて、前記カレントループ通信回路に単方向直流通路を提供する
ことを特徴とする請求項１から３の何れか一項に記載のエアコンカレントループ通信電気回路。
【請求項６】
前記単方向保護モジュールは第一単方向保護モジュールと第二単方向保護モジュールを含み、前記第一単方向保護モジュールは前記カレントループ通信回路の室内機側に直列接続され、前記第二単方向保護モジュールは前記カレントループ通信回路の室外機側に直列接続されている
ことを特徴とする請求項５に記載のエアコンカレントループ通信電気回路。
【請求項７】
前記第一単方向保護モジュールは第一ダイオードを含み、前記第二単方向モジュールは第二ダイオードを含み、
前記第一ダイオードは前記カレントループ通信回路の室内機側に直列接続され、前記第二ダイオードは前記カレントループ通信回路の室外機側に直列接続されている
ことを特徴とする請求項６に記載のエアコンカレントループ通信電気回路。
【請求項８】
さらに過電流保護モジュールを含み、
前記過電流保護モジュールは前記カレントループ通信回路の中に直列接続されて、前記カレントループ通信回路に過電流保護を提供する
ことを特徴とする請求項１から３の何れか一項に記載のエアコンカレントループ通信電気回路。
【請求項９】
前記過電流保護モジュールはＰＴＣサーミスタであり、
前記ＰＴＣサーミスタは前記カレントループ通信回路の中に直列接続されている
ことを特徴とする請求項８に記載のエアコンカレントループ通信電気回路。
【請求項１０】
請求項１から３の何れか一項に記載のエアコンカレントループ通信電気回路を含むエアコン。
【発明の詳細な説明】
【技術分野】
【０００１】
本発明はエアコンの室内外通信電気回路の分野に関し、特にエアコンのカレントループ通信電気回路及びエアコンに関する。
【背景技術】
【０００２】
現在では、家庭用エアコンの室内機と室外機の通信は通常、カレントループ通信電気回路により実現する。カレントループ通信は三本の線、即ち交流電源のライブ線であるＬ、ニュートラル線であるＮ及び一本の通信線Ｓで実現される。図１に示すように、室内機部分と室外機部分はＬ、Ｎ、Ｓでカレントループ通信電気回路を構成してエアコン室内機と室外機の通信を実現する。カレントループ通信電気回路の通信回路は例えば２４Ｖの直流を提供されないと正常に作動できない。この直流給電電気回路は現在では普通、交流電源を分圧抵抗により分圧し、ダイオードにより整流をしてから、定電圧ダイオードにより簡単な電圧レギュレーションを行うことで実現される。分圧抵抗に印加される電圧が高いため、分圧抵抗の作動時に消費電力が大きく深刻な発熱を起こすと共に、分圧抵抗の体積が他の素子に対して大きく、カレントループ通信電気回路のＰＣＢ配線にも不利である。
【発明の概要】
【発明が解決しようとする課題】
【０００３】
本発明の主な目的は、従来のエアコンのカレントループ通信電気回路において、分圧抵抗の消費電力が大きく深刻な発熱を起こす問題及び体積が大きすぎてＰＣＢ基板の配線に影響する問題を解決するエアコンカレントループ通信電気回路及びエアコンを提供することである。
【課題を解決するための手段】
【０００４】
上記目的を実現するために、本発明が提供するエアコンのカレントループ通信電気回路は室内機カレントループ通信モジュール、室外機カレントループ通信モジュール、室内ＭＣＵ、室外ＭＣＵ、スイッチング電源モジュールを含み、
前記室内機カレントループ通信モジュールは通信接続線Ｓと交流電源接続線を経由して前記室外機カレントループ通信モジュールに接続されて、カレントループ通信回路を構成し、前記室内ＭＣＵと室外ＭＣＵは前記カレントループ通信回路で通信を実現し、前記スイッチング電源モジュールは前記通信接続線Ｓ或いは交流電源接続線に直列接続されて、直流電源を前記カレントループ通信回路に出力する。
【０００５】
一つの可能な設計において、前記交流電源接続線は交流電源線Ｎであり、前記スイッチング電源モジュールはエアコンの室内機に位置して、前記スイッチング電源モジュールの出力端子の正極は前記交流電源線Ｎに接続されて、前記スイッチング電源モジュールの出力端子の負極は前記室内機カレントループ通信モジュールに接続されており、或いは、
前記スイッチング電源モジュールはエアコンの室外機に位置して、前記スイッチング電源モジュールの出力端子の正極は前記交流電源線Ｎに接続されて、前記スイッチング電源モジュールの出力端子の負極は前記室外機カレントループ通信モジュールに接続されている。
【０００６】
一つの可能な設計において、前記交流電源接続線は交流電源線Ｌであり、
前記スイッチング電源モジュールはエアコンの室内機に位置して、前記スイッチング電源モジュールの出力端子の正極は前記交流電源線Ｌに接続されて、前記スイッチング電源モジュールの出力端子の負極は前記室内機カレントループ通信モジュールに接続されており、或いは、
前記スイッチング電源モジュールはエアコンの室外機に位置して、前記スイッチング電源モジュールの出力端子の正極は前記交流電源線Ｌに接続されて、前記スイッチング電源モジュールの出力端子の負極は前記室外機カレントループ通信モジュールに接続されている。
【０００７】
一つの可能な設計において、前記スイッチング電源モジュールはスイッチング変圧器を含み、前記スイッチング変圧器は第一出力巻線を含み、
前記第一出力巻線は前記カレントループ通信回路に第一直流電を出力して直流電源を提供する。
【０００８】
一つの可能な設計において、さらに単方向保護モジュールを含み、
前記単方向保護モジュールは前記カレントループ通信回路の中に直列接続されて、前記カレントループ通信回路に単方向直流通路を提供する。
【０００９】
一つの可能な設計において、前記単方向保護モジュールは第一単方向保護モジュールと第二単方向保護モジュールを含み、前記第一単方向保護モジュールは前記カレントループ通信回路の室内機側に直列接続され、前記第二単方向保護モジュールは前記カレントループ通信回路の室外機側に直列接続されている。
【００１０】
一つの可能な設計において、前記第一単方向保護モジュールは第一ダイオードを含み、前記第二単方向モジュールは第二ダイオードを含み、
前記第一ダイオードと前記第二ダイオードはそれぞれ前記カレントループ通信回路の室内機側と前記カレントループ通信回路の室外機側に直列接続されている。
【００１１】
一つの可能な設計において、さらに過電流保護モジュールを含み、
前記過電流保護モジュールは前記カレントループ通信回路の中に直列接続されて、前記カレントループ通信回路に過電流保護を提供する。
【００１２】
一つの可能な設計において、前記過電流保護モジュールはＰＴＣサーミスタであり、
前記ＰＴＣサーミスタは前記カレントループ通信回路の中に直列接続されている。
【００１３】
上記目的を実現するために、本発明はさらに前記エアコンのカレントループ通信電気回路を含むエアコンを提案する。
【００１４】
本発明が提案するエアコンのカレントループ通信電気回路は、スイッチング電源モジュールを設置して且つそれを通信接続線Ｓ或いは交流電源接続線に直列接続することで、直流をカレントループ通信回路に出力する。本発明では、従来の抵抗分圧型の直流給電電気回路の代わりに、スイッチング電源モジュールが出力する直流を利用し、且つ、従来のカレントループ通信電気回路のエアコン室内機と室外機の間の接続線としても兼用する。これにより従来の抵抗分圧電気回路において分圧抵抗の消費電力が大きく深刻な発熱を起こす問題を解決すると共に、従来の分圧抵抗の体積が大きくＰＣＢ基板の配線に不利である問題を解決する。
【図面の簡単な説明】
【００１５】
【図１】図１は従来のエアコン室内機と室外機のカレントループ通信接続線の模式図である。
【図２】図２は本発明のエアコンのカレントループ通信電気回路の第一実施例の電気回路構成図である。
【図３】図３は図２におけるスイッチング電源モジュールの具体的な電気回路構成図である。
【図４】図４は本発明のエアコンのカレントループ通信電気回路の第一実施例のもう一つの電気回路構成図である。
【図５】図５は本発明のエアコンのカレントループ通信電気回路の第一実施例のもう一つの電気回路構成図である。
【図６】図６は本発明のエアコンのカレントループ通信電気回路の第一実施例のもう一つの電気回路構成図である。
【発明を実施するための形態】
【００１６】
以下では、本発明の実施例を詳しく説明する。前記実施例の例示は図面に示されており、始めから終わりまで、同一或いは類似の符号は同一或いは類似の素子、又は同一或いは類似の機能を有する素子を示す。以下での図面を参考して説明される実施例は例示的で、本発明を説明するためのものであり、本発明への制限として理解すべきではない。
【００１７】
図２を参照されたい。図２は本発明の第一実施例が提供するエアコンのカレントループ通信電気回路モジュール構成図である。説明の便宜上、本発明の実施例に関連する部分だけ示している。具体的に、以下のようになる。
【００１８】
本発明の実施例が提供するエアコンのカレントループ通信電気回路は、室外ＭＣＵ１０、室外機カレントループ通信モジュール２０、室内機カレントループ通信モジュール３０、室内ＭＣＵ４０、スイッチング電源モジュール５０を含む。室内機カレントループ通信モジュール３０は通信接続線Ｓと交流電源接続線を介して室外機カレントループ通信モジュール２０に接続され、カレントループ通信回路を構成する。室内ＭＣＵ４０と室外ＭＣＵ１０はカレントループ通信回路で通信を実現する。スイッチング電源モジュール５０は通信接続線Ｓ或いは交流電源接続線に直列接続されて、直流電源をカレントループ通信回路に出力する。
【００１９】
具体的に、図２に示すように、本発明のエアコンのカレントループ通信電気回路は室内機部分と室外機部分を含み、室内機部分は、室内機カレントループ通信モジュール３０、室内ＭＣＵ４０、室内機側に位置するスイッチング電源モジュール５０を含む。
【００２０】
室外機部分は、室外機カレントループ通信モジュール７０と室外ＭＣＵ８０を含む。
【００２１】
室内機と室外機は室内ＭＣＵ４０と室外ＭＣＵ１０の間の通信により、室内機と室外機の正常な通信を実現して、両者の間での制御と状態情報の送受信を実現する。
【００２２】
室内機カレントループ通信モジュール１０は主に、フォトカプラＩＣ３、フォトカプラＩＣ４及びトランジスタＱ２で構成される。フォトカプラＩＣ３はカレントループ通信電気回路の室内部分の通信の受信を担い、そのフォトトライオードの一端は室内ＭＣＵ４０の信号受信端子ＲＸＤに接続され、発光ダイオードの一端は室内機カレントループ通信モジュール１０の入力端であり、室内部分の通信は入力端から入力され、そしてフォトトランジスタの一端からＭＣＵ４０に出力されて、こうして室内ＭＣＵは通信された受信データを読み取る。フォトカプラＩＣ４はカレントループ通信電気回路の室内部分の通信の送信を担い、その発光ダイオードの一端はトランジスタＱ２のコレクタ、トランジスタＱ２のベースを経由してＭＣＵ４０の信号送信端子ＴＸＤに接続され、ＭＣＵ４０が送信した通信信号はトランジスタＱ２に駆動されてからフォトカプラＩＣ４の発光ダイオードの一端に送信されて、そのフォトトランジスタの一端は室内機カレントループ通信モジュール１０の出力端であり、これによりＭＣＵ４０が送信した通信信号を出力端から出力することを実現する。
【００２３】
室外機カレントループ通信モジュール２０は主に、フォトカプラＩＣ１、フォトカプラＩＣ２及びトランジスタＱ３で構成される。フォトカプラＩＣ１はカレントループ通信電気回路の室外部分の通信の受信を担い、そのフォトトランジスタの一端は室外ＭＣＵ１０の信号受信端子ＲＸＤに接続され、発光ダイオードの一端は室外機カレントループ通信モジュール１０の入力端であり、室外部分の通信は入力端から入力され、そしてフォトトランジスタの一端からＭＣＵ１０に出力されて、こうして室外ＭＣＵは通信された受信データを読み取る。フォトカプラＩＣ２はカレントループ通信電気回路の室外部分の通信の送信を担い、その発光ダイオードの一端はトランジスタＱ１のコレクタ、トランジスタＱ１のベースを経由してＭＣＵ１０の信号送信端子ＴＸＤに接続され、ＭＣＵ１０が送信した通信信号はトランジスタＱ１に駆動されてからフォトカプラＩＣ２の発光ダイオードの一端に送信されて、ＭＣＵ１０が送信した通信信号を受信して、そのフォトトランジスタの一端は室外機カレントループ通信モジュール１０の出力端であり、これによりＭＣＵ１０が送信した通信信号を出力端子から出力することを実現する。
【００２４】
室内機側に位置するスイッチング電源モジュール５０は交流電源線Ｎに直列接続されて、第一直流を出力して、上記のカレントループ通信回路に直流電源を提供する。具体的に、スイッチング電源モジュール５０は複数系統の直流を出力する。スイッチング電源モジュール５０のスイッチング変圧器の一つの独立した巻線、即ち第一巻線は、上記カレントループ通信回路に第一直流を出力して、直流電源を提供する。図に示すように、スイッチング電源モジュール５０はカレントループ通信回路に独立した＋２４Ｖの直流を出力して直流を提供し、その出力端の正極は交流電源線Ｎに接続され、出力端の負極は室内機カレントループ通信モジュール３０に接続されている。図２に示すように、エアコン室内機と室外機との間に三本の線即ちＬ、Ｎ、Ｓを固定接続してカレントループ通信及び交流電源の伝送を実現し、スイッチング電源５０が出力した直流２４Ｖの正極は交流線Ｎと接続されるので、即ち、線Ｎと兼用して通信回路における直流電源の正極を実現して、これにより従来の室内機と室外機とのカレントループの三本の通信接続線との汎用化を実現した。図面では室内機と室外機の接続線Ｌは描かれていないが、実際には線Ｌと線Ｎで室内機と室外機との交流の伝送を実現している。図２において、２４Ｖの正極は室内機側の線Ｎからカレントループ通信回路に入力され、その直流は室外機側の線Ｎから室外機側フォトカプラＩＣ１、室外機側フォトカプラＩＣ２、室内機側フォトカプラＩＣ３、室内機側フォトカプラＩＣ４を経由して直流２４Ｖの負極に戻る。２４Ｖの負極は室内機カレントループ通信モジュール３０、具体的には該通信モジュール３０の出力端に接続されている。２４Ｖの負極もカレントループ通信モジュール３０の出力の共通グラウンドでもあり、具体的にはフォトカプラＩＣ４のトランジスタエミッタである。スイッチング電源モジュール５０は＋２４Ｖを提供する他に、そのスイッチング変圧器の他の巻線はさらに他の直流を出力する。例えば、スイッチング変圧器の第二巻線は第二直流＋５Ｖを出力して、その直流の負極は２４Ｖの負極と兼用され、室内ＭＣＵに作動に必要な直流電源を提供する。このスイッチング電源モジュール５０はさらに他の直流を出力して、室外機電気回路全体に、その他の作動に必要な直流を提供できる。即ち、スイッチング電源モジュール５０は室外機電気回路全体に直流を提供する。従来の室外機電気回路スイッチング電源に対して、本発明の実施例のスイッチング電源モジュール５０のスイッチング変圧器に一つの巻線を加えて、一系統の単独した直流を出力して、カレントループ通信回路に直流電源を提供する。従来のカレントループ通信回路の直流電源が、交流電源を分圧抵抗で分圧して、ダイオードにより整流をしてから定電圧ダイオードを通して簡単に電圧レギュレーションすることにより実現するのに対して、消費電力が大きすぎて深刻な発熱を起こす分圧抵抗を省いた。それとともに、従来のスイッチング電源に巻線出力を拡張しただけであるので、ＰＣＢ配線も簡単で、体積の大きい素子は存在しない。
【００２５】
具体的に、図３に示すように、図３は室内機側に位置するスイッチング電源モジュール５０の具体的な電気回路図である。そのスイッチング電源は主にスイッチング電源制御チップＩＣ５、スイッチング変圧器Ｔ１、電圧フィードバックフォトカプラＩＣ１４、定電圧チップＩＣ７とＩＣ６で構成されている。スイッチング変圧器Ｔ１は二つの出力巻線を有し、その二つの巻線により出力された交流は、ダイオードによる整流と定電圧チップによる電圧レギュレーションを経て、それぞれ２４Ｖと５Ｖである二種類の直流として出力され。２４Ｖはカレントループ通信回路に直流電源を提供し、５Ｖは室内ＭＣＵ４０に作動に必要な電源を提供する。
【００２６】
上記の図２と図３におけるスイッチング電源モジュール５０は交流電源線Ｎに直列接続されているが、通信接続線Ｓに直列接続されてもよい。室内機カレントループ通信モジュール１０と室外機カレントループ通信モジュール７０は通信接続線Ｓと交流電源接続線Ｌ或いはＮによって接続され、カレントループ通信回路を構成する。スイッチング電源モジュール５０はカレントループ通信回路に直流電源を提供するように機能するので、通信接続線Ｓに直列接続されても、交流電源接続線Ｌ或いはＮに直列接続されても、カレントループ通信回路の正常な作動を実現できる。
【００２７】
さらに、図４に示すエアコンのカレントループ通信電気回路と図２のエアコンのカレントループ通信電気回路との違いは、スイッチング電源モジュール５０が交流電源線Ｌに直列接続され、そのスイッチング電源モジュール５０の出力端の正極即ち＋２４Ｖは交流電源線Ｌに接続され、スイッチング電源モジュール５０の出力端の負極は室内機カレントループ通信モジュール３０に接続されていることである。図面において、交流電源線Ｎは描かれていないが、線Ｌと線Ｎとによって室内機と室外機の間での交流の伝送を実現した。
【００２８】
さらに、図５に示すエアコンカレントループ通信電気回路と図２のエアコンカレントループ通信電気回路との違いは、スイッチング電源モジュール５０が室外機側に位置し、そのスイッチング電源モジュール５０により出力された２４Ｖの直流は、室内側の交流線Ｎを経由してカレントループ通信回路に入力され、その直流は室外機側の線Ｎを経て室内機側フォトカプラＩＣ３、室内機側フォトカプラＩＣ４、室外機側フォトカプラＩＣ１、室外機側フォトカプラＩＣ２を経由して直流２４Ｖの負極に戻り、２４Ｖの負極は室外機カレントループ通信モジュール２０、具体的にはフォトカプラＩＣ２のトランジスタエミッタに接続されていることである。
【００２９】
さらに、図６に示すエアコンカレントループ通信電気回路と図５のエアコンカレントループ通信電気回路との違いは、スイッチング電源モジュール５０が交流電源線Ｌに直列接続され、そのスイッチング電源モジュール５０の出力端の正極即ち＋２４Ｖは交流電源線Ｌに接続され、スイッチング電源モジュール５０の出力端の負極は室外機カレントループ通信モジュール２０に接続されていることである。図面において、交流電源線Ｎは描かれていないが、線Ｌと線Ｎを経由して室内機と室外機の間での交流電の伝送を実現した。
【００３０】
本発明の実施例が提案するエアコンのカレントループ通信電気回路は、スイッチング電源モジュール５０を設置して且つそれを通信接続線Ｓ或いは交流電源接続線に直列接続することで、直流をカレントループ通信回路に出力する。本発明では、従来の抵抗分圧型の直流給電電気回路の代わりに、スイッチング電源モジュール５０が出力する直流を利用し、且つ、従来のカレントループ通信電気回路のエアコンの室内と室外の間の接続線としても兼用する。これにより従来の抵抗分圧電気回路において分圧抵抗の消費電力が大きく深刻な発熱を起こす問題を解決すると共に、従来の分圧抵抗の体積が大きくＰＣＢ基板の配線に不利である問題を解決する。
【００３１】
さらに、本発明のエアコンカレントループ通信電気回路の第一実施例に基づいて、本発明のエアコンカレントループ通信電気回路の第二実施例において、図２に示すように、さらに単方向保護モジュール６０を含み、単方向保護モジュール６０はカレントループ通信回路の中に直列接続され、カレントループ通信回路に単方向直流通路を提供する。具体的に、単方向保護モジュール６０は第一ダイオードＤ１を含み、第一ダイオードＤ１はカレントループ通信回路の中に直列接続され、その回路の中の電流は第一ダイオードＤ１の正極から入力され、第一ダイオードＤ１の負極から出力される。室内機と室外機の三本の接続線Ｌ、Ｎ、Ｓの二本に逆接続、或いはＬ、Ｓの逆接続があった場合、高圧電がカレントループ通信回路に通されて、この時第一ダイオードＤ１により、高圧電での他の素子に或いは高圧での回路中のフォトカプラに過電流で損傷されるのを防止する。
【００３２】
さらに、より良い高圧保護作用を実現するために、室内機側と室外機側にそれぞれ一つの単方向保護モジュールを設置することも可能である。図２に示すように、室外機側に第一単方向保護モジュール６０を設置する他に、さらに室内機側に第二単方向保護モジュール７０を設置して、それぞれ通信線Ｓの室内機と室外機の外部との接続ポートに位置して、第一単方向保護モジュール６０を構成する第一ダイオードＤ１の負極は通信線Ｓの出力ポート（不図示）に接続され、第二単方向保護モジュール７０を構成する第二ダイオードＤ４の正極は通信線Ｓの出力ポート（不図示）に接続されている。第一ダイオードＤ１と第二ダイオードＤ４は、室内機と室外機の接続線が逆接続されて、回路に高圧を通した場合、より良い保護作用を実現して、室内と室外側の回路中の他の素子に損傷されるのを防止する。
【００３３】
さらに、本発明のエアコンカレントループ通信電気回路の第一実施例に基づいて、本発明のエアコンカレントループ通信電気回路の第三実施例において、図２に示すように、さらに過電流保護モジュール８０を含み、過電流保護モジュール８０はカレントループ通信回路の中に直列接続され、カレントループ通信回路に過電流保護を提供する。具体的に、過電流保護モジュール８０はＰＴＣサーミスタＲ９であり、ＰＴＣサーミスタＲ９は前記カレントループ通信回路の中に直列接続され、図２におけるＰＴＣサーミスタＲ９は室内機側に直列接続されているが、勿論室外機側に直列接続されてもよい。カレントループ通信回路の中に大電流が起きた場合、例えば上記第二実施例において室内機と室外機の接続線が逆接続されて回路に高圧を通して、回路の中の電流を瞬時に高くした場合、ＰＴＣサーミスタＲ９の特性により、通過する電流が大きくなった時、その温度も上昇して、抵抗値もと共に迅速に上昇する。抵抗値の上昇は電流制限作用の強化を実現して、回路中の電流を低下させる役割を果たす。
【００３４】
本願はさらにエアコンを提案する。室内機と室外機は上記エアコンカレントループ通信電気回路を通して両者の通信を実現する。その具体的な実施態様及び効果については、上記実施例を参照でき、ここでは改めて説明しない。
【００３５】
本明細書の説明において、参照用語「第一実施例」、「第二実施例」、「例示」等の説明は当該実施例或いは例示を組み合わせて説明した具体的な方法、装置或いは特徴は本発明の少なくとも一つの実施例或いは例示の中に含まれていることを意味する。本明細書の中で、上記用語に対する概要表現は同じ実施例或いは例示に対する必要はない。しかも、説明された具体的な特徴、方法、装置或いは特徴は何れか一つ或いは複数の実施例或いは例示の中で適当な方式で組み合わせることが可能である。それに、互いに矛盾しない前提で、当業者は本明細書において説明された異なる実施例或いは例示及び異なる実施例或いは例示の特徴を組み合わせたり結合させたりできる。
【００３６】
以上は本発明の好ましい実施例にすぎず、それによって本発明の保護範囲を制限するわけではない。本発明の明細書及び図面の内容を利用してなされた等価構造或いは等価プロセス変換、或いは直接または間接的な他の関連する技術分野への応用は、同じ理由で本発明の特許の保護範囲に含まれる。
【図１】
2020527327.tif 000003
【図２】
2020527327.tif 000004
【図３】
2020527327.tif 000005
【図４】
2020527327.tif 000006
【図５】
2020527327.tif 000007
【図６】
2020527327.tif 000008
【国際調査報告】
2020527327.tif 000009
2020527327.tif 000010
2020527327.tif 000011
2020527327.tif 000012
2020527327.tif 000013